(57)【要約】  本発明は、コンピュータ用マウス、特にレーザーマウスに関するものであり、そのハウジング（２）は小型化された自動車モデルとして形成されており、そのフロントフード（５）には複数の駆動要素を備えている。データを記憶するための少なくとも１つの大容量記憶装置（２１）と、この大容量記憶装置（２１）をコンピュータなどに接続するための好ましくはＵＳＢ接続部（２０）である少なくとも１つのインタフェースとが、付加されてハウジング（２０）内に組み込まれている。自動車モデルのハウジング（２）は、少なくとも２つの部分に分割されたフロントフード（５）を有し、これによって２つの触覚面（５ａ，５ｂ）が形成されている。当該コンピュータ用マウスにおいては、既存の自動車モデルが一定の縮尺で再現されており、これによって、ユーザは非常に特別な審美的マウスを得て、これを付加機能であるデータの記憶に用いることもできる。【選択図】図１
2012515383.tif 000002
【特許請求の範囲】
【請求項１】
手のひらのサポート（２ａ）を形成し、少なくとも１つの操作可能な駆動要素が設けられているハウジング（２）を備える、コンピュータ用マウス、特にレーザーマウスであって、
前記ハウジング（２）は小型化された自動車モデルの形態をしており、そのフロントフード（５）に複数の駆動要素を有していることを特徴とする、コンピュータ用マウス。
【請求項２】
前記自動車モデルの前記ハウジング（２）は、少なくとも２つの部分に分割されたフロントフード（５）を有し、それらの部分により２つの触覚面（５ａ，５ｂ）が形成されており、それらの部分の間にある隙間からスクロール式またはプッシュ式のホイール（７）が上に突き出していることを特徴とする、請求項１に記載のコンピュータ用マウス。
【請求項３】
前記ハウジング（２）は、前記自動車モデルの車輪（３）によって作業面（４）上に載置することができ、その下部に光穴（１１）が設けられたベース（１０）を有しており、前記ハウジング（２）が前記作業面（４）に載置されたときに、前記作業面と前記ベース（１０）の下面（１０ａ）との間に隙間（１５）ができることを特徴とする、請求項１または２に記載のコンピュータ用マウス。
【請求項４】
前記自動車モデルの前記車輪（３）は回転可能であり、さらに、車輪（３）が真っ直ぐな方向から逸れて旋回することができるようにベース（１０）の外周が構成されていて、当該コンピュータ用マウスを動かすことでステアリング操作が可能であることを特徴とする、請求項３に記載のコンピュータ用マウス。
【請求項５】
データを記憶するための少なくとも１つの大容量記憶装置（２１）と、この大容量記憶装置（２１）をコンピュータあるいはそれに類するものに接続するための、好ましくはＵＳＢ接続部（２０）である少なくとも１つのインタフェースとが、付加されて前記ハウジング（２）内に組み込まれていることを特徴とする、請求項１ないし４のいずれかに記載のコンピュータ用マウス。
【請求項６】
ＵＳＢ接続部（２０）が、前記ベース（１０）の外周縁部にインタフェースとして配置されていることを特徴とする、請求項５に記載のコンピュータ用マウス。
【請求項７】
前記ＵＳＢ接続部（２０）は、自動車モデルの後部領域、かつ前記ベース（１０）の後部領域に配置されていることを特徴とする、請求項６に記載のコンピュータ用マウス。
【請求項８】
前記自動車モデルの例えば外部ミラー（９）といった個々のコンポーネントによって、付加的機能のための操作可能な駆動要素が形成されていることを特徴とする、請求項１ないし７のいずれかに記載のコンピュータ用マウス。
【請求項９】
当該マウス（１）がオン／オフスイッチ（１２）によってオンにされたときに、エンジン音が鳴る、および／または車のライトがオンにされる、および／または車の警笛が鳴ることを特徴とする、請求項１ないし８のいずれかに記載のコンピュータ用マウス。
【請求項１０】
充電可能な蓄電池あるいは充電可能なバッテリが、前記ハウジング（２）の中に収容されており、当該マウス（１）は、配線あるいはケーブルなしで受信機に機能的に接続されていることを特徴とする、請求項１ないし９のいずれかに記載のコンピュータ用マウス。
【請求項１１】
前記蓄電池あるいは前記バッテリを充電するため、電源コンセントあるいはコンピュータに接続可能な充電ステーション（２５）に対して、前記ハウジング（２）をそのベース（１０）で接続することができることを特徴とする、請求項１０に記載のコンピュータ用マウス。
【請求項１２】
前記ハウジング（２）には、前記蓄電池あるいは前記バッテリを充電するための太陽電池が設けられていることを特徴とする、請求項１０に記載のコンピュータ用マウス。
【請求項１３】
前記自動車モデルは、フェラーリ、フィアットあるいはその他の既存の自動車モデルを再現していることを特徴とする、請求項１ないし１２のいずれかに記載のコンピュータ用マウス。
【発明の詳細な説明】
【技術分野】
【０００１】
本発明は、コンピュータ用マウス、特に、請求項１に記載したレーザーマウスに関するものである。
【背景技術】
【０００２】
この種のコンピュータ用マウスは、一般に知られており、様々な形態で市販されている。
【発明の概要】
【発明が解決しようとする課題】
【０００３】
本発明の根幹をなす目的は、従来のコンピュータ用マウスに比較して拡張した機能を提供するコンピュータ用マウスであって、これによると特殊な形状とすることも可能であるコンピュータ用マウスを提供することである。
【課題を解決するための手段】
【０００４】
この目的は、本発明に従って、請求項１の特徴をもつコンピュータ用マウスにより達成される。
【０００５】
本発明のこのコンピュータ用マウスでは、既存の自動車モデルが一定の縮尺で再現されており、これによって、ユーザは仕事場において非常に特別な審美的マウスを提供される。また、この種のコンピュータ用マウスは、特に宣伝目的に適している。
【０００６】
組み込まれた永久記憶装置とこれに対応するＵＳＢ接続などによって、付加的機能として、データを保護することができる。
【０００７】
更なる本発明の好適な構成は、従属請求項の要旨を成すものである。そのように、車輪を形成することによって、マウスが容易に動くようになる。
【０００８】
以下で、図面を用いて、本発明についてより詳細に説明する。図面はつぎのものを示している。
【図面の簡単な説明】
【０００９】
【図１】図１は、本発明のコンピュータ用マウスの典型例である実施形態の側面図で    ある。
【図２】図２は、図１のコンピュータ用マウスの使用時の側面図である。
【図３】図３は、図１のコンピュータ用マウスの上面図である。
【図４】図４は、図１のコンピュータ用マウスを下から見た図である。
【発明を実施するための形態】
【００１０】
図１から図４に、コンピュータ用マウス１を示しており、これは通常のマウスのように機能するもので、従って、使用しないときには、ＵＳＢケーブル２６を介してコンピュータやそれに類するものに接続可能な充電ステーション２５の上に接続され、これによって、組み込みの蓄電池をプラグ接続あるいは接点接続により充電可能である。コンピュータ用マウス１は、ケーブル接続により、あるいは、図示のようにケーブルなしで（ワイヤレスで）受信機の形態の充電ステーション２５と無線接続することにより、周知の方法でコンピュータと通信する。従って、これは光学式マウス、特にレーザーマウスであることが好ましく、そのセンサ・システムにはレーザーダイオードが含まれている。レーザーマウスの構造および動作は、周知のものと同様であり、従ってこれ以上詳細には記述しない。
【００１１】
本発明によると、このコンピュータ用マウス１は、小型化された自動車モデルの、好ましくは既存の自動車モデルの形態をしており、ハウジング２と車輪３とを備えていて、この車輪３を作業面４の上に載置することができる。マウスの上面は、図２に見られるように、手のひらのためのサポート２ａとして機能する。
【００１２】
図３の本発明によると、自動車モデルのフロントフード５は、２つの部分５ａ，５ｂに分割されており、これはコンピュータ用マウス１の２つの可動触覚面（左と右のボタン）を形成しており、これらはそれぞれ指の先で操作することができる。これらの部分５ａ，５ｂの間には、スロット６があり、そこからスクロール式および／またはプッシュ式のホイール７が上に突き出している。このホイール７を回転させることにより、例えば、スクロール機能が実行されるようにすることができるが、しかし、同様のことがボタンを押す操作により実行されるように構成することもできる。
【００１３】
本発明によると、コンピュータ用マウス１のハウジング２の中に、データを記憶する大容量記憶装置２１と共にＵＳＢ接続部２０（または他のインタフェース）が組み込まれており、これによって、コンピュータ用マウス１は従来の機能に加えてメモリスティックの機能も担うことが可能である。インタフェースとして機能するＵＳＢ接続部２０は、好ましくは、ベース１０の外周１０ｂの縁部に設けられ、それは自動車モデルの後部領域であることが好ましい。これを、ケーブルによりコンピュータと接続することができる。
【００１４】
加えて、コンピュータ用マウス１は、付加的機能のための操作可能な駆動要素を更に備えることができ、これらを、ハウジング２を形成している自動車モデルの例えば外部ミラー９など個々のコンポーネントに割り当てることができる。
【００１５】
ハウジング２は下部ベース１０を有しており、その下面１０ａには、光穴１１、オン／オフスイッチ１２、充電穴１３、および接続ボタン１４が設けられている（図４を参照）。図１および図２から分かるように、自動車モデルはその車輪３によって作業面４上に立ち、このとき、作業面４とベース１０の下面１０ａとの間に隙間１５ができる。
【００１６】
自動車モデルの車輪３は回転可能に構成することができ、さらに、車輪３が真っ直ぐな方向から逸れるように旋回することが可能であるようにベース１０の外周を構成して、コンピュータ用マウスを動かすときにステアリング操作可能にすることができる。前輪３は、例えば、マウス機能用のホイール７と同様に構成されたホイールによって、ステアリング操作可能とすることができる。
【００１７】
本発明の範囲内で、マウス１がオン／オフスイッチ１２によりオンにされたときに、エンジン音が聞こえるもの、特にマウスを動かしたときに車のライトがオンにされるもの、および／または車の警笛が聞こえるものを提供することができる。
【００１８】
以上、典型例である実施形態のより詳細な説明によって本発明を十分に提示した。当然のことながら、さらに変形した構成による実現も可能である。その場合、蓄電池の代わりに、単に交換可能なバッテリをハウジングの中に収容していてもよいし、あるいは、環境に優しいソリューションとして、ハウジングに太陽電池を取り付けて、それらを蓄電池の充電に用いるということも考えられる。
【図１】
2012515383.tif 000003
【図２】
2012515383.tif 000004
【図３】
2012515383.tif 000005
【図４】
2012515383.tif 000006
【国際調査報告】
2012515383.tif 000007
2012515383.tif 000008
2012515383.tif 000009
2012515383.tif 000010
2012515383.tif 000011
2012515383.tif 000012
2012515383.tif 000013
2012515383.tif 000014
2012515383.tif 000015
2012515383.tif 000016